(57)【要約】【課題】  本発明は、パターをストロークしてボールを打出す時、打者がヘッドの回転力を敏感に感じ取り、ボールを所定の方向に真っ直ぐ打出せるようにすることを課題とする。【解決手段】  パター（１１）における、ヘッド（１２）の上部に取り付けられたネック（１３）は、Ｕ字状をした形を９０度回転をさせた形で横向きに取り付いており、Ｕ字状の底辺に相当する軸線を波型に屈曲させて、ネック軸の幅を増し、打者がストローク時に働くヘッド（１２）の慣性モーメントを抑制して、安定したパッティングをすることが出来る。【選択図】  図−３
2006043373.tif 000002
【特許請求の範囲】
【請求項１】
ヘッドと、該ヘッドに取り付けられているネックと、該ネックの上端に取り付けられているシャフトからなり、該ネックは、ヘッドに取り付く立ち上げ部と、シャフトに取り付く、同軸の直線部とに挟まれた部分は、Ｕ字状を９０度回転させて横向きに取り付けた形をしており、該ネックのＵ字状底辺部に相当する部分の軸線を波型に屈折させたことを特徴とするゴルフパター。
【発明の詳細な説明】
【技術分野】
【０００１】  本発明はゴルフパターに関するものである。
【背景技術】
【０００２】  従来、例えば図−〜図−１１に示すように、ヘッド（２）と、該ヘッド（２）にネック（３）を介して取り付けられているシャフト（４）とからなるゴルフパター（１）において、該ネック（３）は、該ヘッド（２）に取り付く垂直軸線（３Ａ）と、次に後方且つ水平に折り曲げられた軸線（３Ｂ）と、次に上方且つ、打球方向側に傾斜して折り曲げられた軸線（３Ｃ）と、次に前方側に且つ水平に折り曲げられた軸線（３Ｄ）と、次にシャフト（４）に取り付く上部方向で斜め後方に折り曲げられた軸線（３Ｅ）とからなり、該ヘッド（２）に取り付く垂直軸線（３Ａ）と、該ネック（３）がシャフト（４）に取り付く、同軸芯の、上方斜め方向の軸線（３Ｅ）に挟まれた軸線（３Ｂ）並びに、（３Ｃ）、（３Ｄ）は、脚長の異なるＵ字状のものを９０度回転させて、横向きに取り付けられた構成が提供されている。
且つ該パター（１）は、ヘッド（２）にネック（３）を介してシャフト（４）が垂直軸（Ｖ）より１０度以上の角度（Θ）をもって打者側に傾斜して取り付けられていることから、該シャフト（４）を持ってボールを打出す打球時には、打球方向の狂いが生じやすい欠点があるとされている。
【発明の開示】
【発明が解決しようとする課題】
【０００３】  このようなパター（１）にあっては、図−９および図−１０に示すように、打球時にシャフト（４）を持ってヘッド（２）を打球方向に振り出すことにより、打撃力はシャフト（４）の先端同軸芯の軸線（３Ｅ）を介して、該ネック（３）のＵ字状の脚部に相当する上段水平軸線（３Ｄ）に打撃力が伝わり、更に打力は、順次該ネックのＵ字型の底辺に相当する斜め縦方向の軸線（３Ｃ）、そして、Ｕ字状脚部に相当する下段の水平軸線（３Ｂ）、更に該ヘッドからの立ち上がり軸線（３Ａ）へと伝わって、該ヘッド（２）を打球方向に振り出すことになる。【０００４】  この時、図−９に示すように、シャフト（４）は、垂直軸（Ｖ）より打者側に１０度以上の角度（Θ）をもってネック（３）に取り付けられていることから、打撃時には、シャフト軸（Ｐ）を中心として該ヘッド（２）の回転がし易く、打者には該ヘッドの回転力の強弱が伝わり難いため、所定の方向に該ヘッド（２）を振り出すことが難しく、打球方向の狂いが生じ易い。【０００５】  すなわち打力は、シャフト（４）を持ってヘッド（２）を打球方向に振り出すことにより、該シャフト（４）の取り付け部になる、該ネック（３）の縦方向の同軸芯の軸線（３Ｅ）を介して、該ネックのＵ字状脚部に相当する上段の軸線（３Ｄ）を通り、順次打力は該ネックのＵ字状底辺部に相当する斜め縦方向の軸線（３Ｃ）、Ｕ字状脚部に相当する下段の軸線（３Ｂ）、更に該ヘッド（２）からの立ち上げの軸線（３Ａ）に伝わって、該ヘッド（２）を打球方向に振り出す打撃力になるが、この時、該ヘッド（２）の振り出し方向を打者の感覚でコントロールするには、該ネック（３）のＵ字状底辺部に相当する斜め縦方向の軸線（３Ｃ）が一直線になっているため、打球時には、ヘッド（２）の回転力が軸芯を通りやすくなり、このため、慣性モーメントが大きくなるので、打球の方向性や打力の働き具合が打者に伝わり難い欠点がある。
【課題を解決するための手段】
【０００６】  本発明は、上記従来の課題を解決するための手段として、図−１〜図−４に示すように、ヘッド（１２）と、該ヘッド（１２）に取り付けられているネック（１３）と、シャフト（１４）とからなるゴルフパター（１１）において、該ネック（１３）は、該ヘッド（１２）に取り付く立ち上げ軸線（１３Ａ）と、シャフト（１４）に取り付く上方斜め方向の同軸芯の軸線（１３Ｅ）に挟まれた部分の各々の軸線（１３Ｂ），（１３Ｃ）、（１３Ｄ）を組み合わせた形は、脚長の異なるＵ字状の形を９０度回転させ、横向きにした形をしており、その内、該Ｕ字状の底辺に当たる縦方向の軸線を、図−３に示すとおり、波型に屈曲させた構成をするゴルフパター（２１）を提供するものである。【０００７】  また該ヘッド（１２）と、該ヘッド（１２）に取り付けられているネック（１３）と、シャフト（１４）とからなるゴルフパター（１１）において、該ネック（１３）は、該ヘッド（１２）に取り付く垂直軸線（１３Ａ）と、シャフト（１４）に取り付く上方斜め方向の同軸芯の軸線（１３Ｅ）に挟まれた部分の各々の軸線（１３Ｂ）、（１３Ｃ）、（１３Ｃ）を組み合わせた形は、脚長の異なるＵ字状の形を９０度回転させ横向きにした形をしており、その内Ｕ字状の底辺に相当する縦方向の軸線（１３Ｃ）を波型に屈曲させて、Ｕ字状脚部に相当する上部の水平軸線（１３Ｄ）と、下部の水平軸線（１３Ｂ）の位置関係において、上部の軸線（１３Ｄ）が下部の軸線（１３Ｂ）より打球方向側にズラせた構成のゴルフパター（１１）を提供するものである。【０００８】  また、該ヘッド（１２）に取り付けられているネック（１３）と、シャフト（１４）とからなるゴルフパター（１１）において、該ネック（１３）は、該ヘッド（１２）に取り付く立ち上げの軸線（１３Ａ）と、シャフト（１４）に取り付く上向き斜め方向の同軸芯の軸線（１３Ｅ）に挟まれた部分の各々の軸線（１３Ｂ）、（１３Ｃ）、（１３Ｄ）を組み合わせた形は、脚長の異なるＵ字状の形を９０度回転させ、横向きにした形をしており、その内、該ネック（１３）のＵ字状の形をした脚部に相当する、上下二つの軸線（１３Ｂ）と（１３Ｄ）は、各々が該ヘッド（１２）の打球面に平行になっており、且つ水平になっているゴルフパター（１１）を提供するものである。
【発明の効果】
【０００９】  本発明は、図−１〜図−４に示すように、打者がボールを所定の方向に打ち出そうとする時、該ヘッド（１２）は、打球方向前後の垂直面内を、円弧状で、左右に移動する運動軌跡が不可欠になるが、図−９に示すとおり、該シャフト（４）は、垂直軸（Ｖ）に対して、打者側に１０度以上の角度（Θ）を持って取り付けられていることから、該シャフト（４）を持って該ヘッド（２）を所定の方向にボールを打ち出そうとしても、パッティング時には、シャフト（４）の軸を中心にしてヘッド（２）に水平方向の慣性モーメントが働いて、打球方向に狂いが生じ易く、あるいは、ネック（３）とヘッド（２）との取り付け位置を中心にして、ヘッド（２）に水平方向の慣性モーメントが働いて、打球方向に狂いが生じ易くなる。このことから図−１に示すとおり、ネック（１３）の脚長の異なるＵ字状の底辺に相当する縦方向の軸線（１３Ｃ）を、ヘッド（１２）の打球方向の垂直面内で、波型に屈曲させることによって、該ネック（１３）は棒状の素材太さより広い、幅の大きい平面（Ｂ）が出来る。この結果、打者がシャフト（１４）を持ってボールを所定の方向に打ち出そうとする時、該ヘッド（１２）に働く慣性モーメントが該幅（Ｂ）によって働き難くなり、ボールのヒッティング時に調整も可能になるため、ボールを所定の方向に打ち出すことが容易になる効果が得られる。【００１０】  また、ヘッド（１２）と、該ヘッド（１２）に取り付けられているネック（１３）と、シャフト（１４）とからなるゴルフパター（１１）において、該ネック（１３）は、該ヘッド（１２）に取り付く立ち上げ軸線（１３Ａ）と、シャフト（１４）に取り付く、同軸芯の上向き斜め方向の軸線（１４）に挟まれた部分の各々の軸線（１３Ｂ）、（１３Ｃ）、（１３Ｄ）を組み合わせた形は、脚長の異なるＵ字状の形を９０度回転させ、横向きにした形をしており、その内、該Ｕ字状の底辺に相当する縦方向の軸線を波型に屈曲させて、更に、該Ｕ字状の脚部に相当する該ネック（１３）の上部の水平な軸線（１３Ｄ）と、下部の水平な軸線（１３Ｂ）の双方を、上下、左右共に平行にし、且つ、ヘッド（１２）の打球面に平行にすると共に、上部の水平な軸線（１３Ｄ）を下部の水平な軸線（１３Ｂ）より打球方向側にズラせることによって、シャフト（１４）の取り付け位置は、ヘッド（１２）とヘッド（１３）との取り付け位置より打球方向の前方にあり、該Ｕ字状の底辺部に相当する軸線（１３Ｃ）の最上位の軸線（１３Ｃ−４）は、左斜め方向に傾斜をしているので、打者がボールを所定の方向に打ち出そうとする時、テークバック時には、打球方向に垂直な平面内に円弧を描いて、ヘッド（１２）を打球方向に対して反対方向に移動させることが出来、テークバックの行為が違和感無く行われ、その結果ヒッティング、フォロースルーが安定する効果が得られる。【００１１】  また、ヘッド（１２）と、該ヘッド（１２）に取り付けられているネック（１３）と、シャフト（１４）とからなるゴルフパター（１１）において、該ネック（１３）は、該ヘッド（１２）に取り付く立ち上げ軸線（１３Ａ）と、シャフト（１４）に取り付く、上向き斜め方向の同軸芯の軸線（１４）に挟まれた部分の各々の軸���（１３Ｂ）、（１３Ｃ）、（１３Ｄ）を組み合わせた形は、脚長の異なるＵ字状の形を９０度回転させ、横向きにした形をしており、その内、該Ｕ字状の底辺に相当する縦方向の軸線を波型に屈曲させて、該Ｕ字状の脚部に相当する、該ネック（１３）の上部の水平な軸線（１３Ｄ）と、下部の水平な軸線（１３Ｂ）の双方を、上下、左右共に平行にし、且つ、ヘッド（１２）の打球面に平行になっている。この為、打者がボールを所定の方向に打ち出そうとする時、ネック（１３）のＵ字状の脚部に相当する、上部の水平の軸線（１３Ｄ）と、下部の水平の軸線（１３Ｂ）と、ヘッド（１２）の打球面とは上下、左右共に、平行関係に有るため、所定の打球方向に目線を合わせやすく、また、打球を所定の方向に打ち出し易い効果が得られる。
【発明を実施するための最良の形態】
【００１２】  以下、本発明を実施例１および実施例２により詳細に説明をする。
【実施例１】
【００１３】  本発明を図−１〜図−４に示す実施例によって説明をする。
図−１に示すように、ヘッド（１２）と、該ヘッド（１２）に取り付けられている、断面が円形のネック（１３）と、シャフト（１４）とからなるゴルフパター（１１）において、図−４に示すように、該ネック（１３）は、該ヘッド（１２）に取り付く立ち上げ垂直軸線（１３Ａ）と、シャフト（１４）に取り付く同軸芯の上方で後方斜め方向の軸線（１３Ｅ）に挟まれた部分の各々の軸線（１３Ｂ）、（１３Ｃ），（１３Ｄ）を組み合わせた形は、脚長の異なるＵ字状の形を９０度回転させ、横向きにした形をしており、その内、該Ｕ字状の底辺に相当する縦垂直方向の軸線（１３Ｃ）を、図−３に示すとおり、ヘッド（１２）の打球方向の垂直面内で波型に屈曲させたゴルフパター（１１）を提供している。【００１４】  そこで、図−３、図−４に示すように、該Ｕ字状の部分、すなわち（１３Ｂ）、（１３Ｃ）、（１３Ｄ）の形態について詳細の説明をすると、ネック（１３）は、該ヘッド（１２）から垂直に立ち上げた軸線（１３Ａ）の頭部から、後方に且つ水平で、しかも該ヘッド（１２）の打球面に平行に折り曲げられた、該Ｕ字状の脚部に相当する下方の軸線（１３Ｂ）を形成し、次に、該下方の軸線（１３Ｂ）の後端から、図−３に示すとおり、該Ｕ字状の底辺に相当する部分の最下端部は垂直に立ち上げた垂直軸（１３Ｃ−１）を形成し、次に該垂直軸（１３Ｃ−１）の頭部から、該Ｕ字状の底辺部に相当する縦方向の軸を、ヘッド（１２）の打球面に直角な垂直面内で左右に屈曲をさせて、左方向に傾斜させた傾斜軸（１３Ｃ−２）と、次に右方向に傾斜をさせた傾斜軸（１３Ｃ−３）と、更に左方向に傾斜をさせた傾斜軸（１３Ｃ−４）を形成し、次に、該傾斜軸（１３Ｃ−４）の最上端から、前方に且つ水平でしかも該ヘッド（１２）の打球面に平行に折り曲げられた該Ｕ字状の脚部に相当する上方の軸線（１３Ｄ）を形成し、該上方の軸線（１３Ｄ）の前端から後方上向きに折り曲げて軸線（１３Ｅ）を形成し、該軸線（１３Ｅ）と同軸芯でシャフト（１４）に取り付く構造をしている。【００１５】  該Ｕ字状の底辺に相当する部分の左右方向に折り曲げられた傾斜軸（１３Ｃ−２）、（１３Ｃ−３）、（１３Ｃ−４）の屈曲形態について説明をすると、図−３に示すとおり、傾斜軸（１３Ｃ−２）と傾斜軸（１３Ｃ−３）との交点の左端は、ヘッド（１２）の打球面の最下端である左端と、同一垂直面内にあり、次に傾斜軸（１３Ｃ−３）と、傾斜軸（１３Ｃ−４）との交点の右端は、ヘッド（１２）に取り付く垂直の立ち上げ軸（１３Ａ）の右端で、該ヘッド（１２）の打球面に平行な垂直面内にある。更に傾斜軸（１３Ｃ−４）の上端と、Ｕ字状の脚部に相当する上側の水平軸（１３Ｄ）との交点の中心は、該ヘッド（１２）の打球面の最下端の垂直面内に合致している。【００１６】  このようなパター（１１）にあっては、該ネック（１３）のＵ字状の底辺に相当する縦方向の軸線（１３Ｃ）を波型に屈曲させることによって、図−２、図−３に示すとおり、該縦方向の軸線（１３Ｃ）は、単純な一直線の軸線よりも打球方向の垂直面内で、ネック（１３）の素材の太さよりも広い、幅（Ｂ）を作り出すことが出来る。この該幅（Ｂ）が有ることによって、打者がシャフト（１４）を持って所定の方向にボールを打出そうとする時、テークバック時や、ヒッティング、フォロースルー時には、シャフト（１４）の取り付け部や、ヘッド（１２）とネック（１３）との取り付け部を中心にして働き易い慣性モーメントが感じ易くなり、あるいは、慣性モーメントを、パッティングのアドレスに入った時点で抑制することが出来るので、打者は、所定の方向に正確にボールを打出すことができる。【００１７】  また、このようなパター（１１）にあっては、該ネック（１３）のＵ字状の脚部に相当する、上部の水平軸線（１３Ｄ）の軸心は、ヘッド（１２）の打球面最下端の垂直面内にあり、次に該上部の水平軸線（１３Ｄ）の最後端の直下に位置する左斜めの傾斜軸線（１３Ｃ−４）の下端と、更にその下位に位置する、右斜めの傾斜軸線（１３Ｃ−３）との交点の中心は、ヘッド（１２）の打球面より後方の、打球面に平行な垂直面内で、ヘッド（１２）に取り付く、ネック（１３）の取り付け垂直軸線（１３Ａ）の中心線と合致している。このことによって、該Ｕ字状の上部の水平軸線（１３Ｄ）の軸心と、その下位に位置する傾斜軸線（１３Ｃ−４）と、更にその下位に位置する傾斜軸線（１３Ｃ−３）の交点の中心との間には打球方向の水平面内においてズレがあり距離が生まれる。このことによって、打者が所定の方向にボールを打ち出そうとする時、ヘッド（１２）を、打球方向の前後の垂直面内で円弧を描いて運動をさせるために、先ずテークバックをするが、その時ネック（１３）の該Ｕ字状の底辺に相当する縦方向の軸線（１３Ｃ）のうち、最上部に位置する左斜めの傾斜軸線（１３Ｃ−４）に左斜めの勾配があるのと、該Ｕ字状の脚部に相当する上部の水平軸線（１３Ｄ）の軸心と、該Ｕ字状の底辺に相当する部分の最上部に位置する左斜めの傾斜軸線（１３Ｃ−４）の最下端の軸心との間には、打球方向平面内で距離があるため、打球方向の反対側に円弧を描いてテークバックをする時、ヘッド（１２）に過度の慣性モーメントが働き難くなり、違和感のない安定した運動が可能になる。その結果、ボールのヒッティングの打撃効率が増大し、更に、フォロースルーが容易に出来るため、打者は所定の方向にボールを打ち出すことが容易になる。【００１８】  また、該Ｕ字状の脚部に相当する上部の水平軸線（１３Ｄ）と、下部の水平軸線（１３Ｂ）とは、上下、左右共に双方が平行関係にあり、更にヘッド（１２）の打球面に平行な垂直面とも平行関係にある。このことから打者が所定の方向にボールを打出そうとする時、ヘッド（１２）の打球面を打球方向に合わせるアドレスに入るが、該Ｕ字状の上部の水平軸線（１３Ｄ）と、下部の水平軸線（１３Ｂ）と、更にヘッド（１２）の打球面とはそれぞれが平行関係にあることから、打者は打球方向にヘッド（１２）の打球面を直角に合わせると、該Ｕ字状の脚部に相当する上部の水平軸線（１３Ｄ）と、下部の水平軸線（１３Ｂ）は、共に打球方向に直角な位置関係に合うことになり、打者は打球方向にパター（１１）を合わせ易くなるほか、ヘッド（１２）の軸線と該Ｕ字状の脚部に相当する上部の水平軸線（１３Ｄ）と下部の水平軸線（１３Ｂ）とは、上下、左右共に、平行関係にあることから、打者がボールを所定の方向に打出すとき��ヘッド（１２）に働く過度な慣性モーメントを抑制することが出来、三本の平行軸を意識してテークバックができるので、安定したパター（１１）のストロークができる。
【実施例２】
【００１９】  本発明を図−５〜図−８に示す実施例によって説明をする。
図−５に示すように、ヘッド（２２）と、該ヘッド（２２）に取り付けられている、断面が円形のネック（２３）と、シャフト（２４）とからなるゴルフパター（２１）において、図−８に示すように、該ネック（２３）は該ヘッド（２２）に取り付く立ち上げ垂直軸線（２３Ａ）と、シャフト（２４）に取り付く同軸芯の上方で後方斜め方向の軸線（２３Ｅ）に挟まれた部分の各々の軸線（２３Ｂ）、（２３Ｃ）、（２３Ｄ）を組み合わせた形は、脚長の異なるＵ字状の形を９０度回転させ、横向きにした形をしており、その内、該Ｕ字状の底辺に相当する縦垂直方向の軸線（２３Ｃ）を、図−７に示すとおり、波型に屈曲させたゴルフパター（２１）を提供している。【００２０】  そこで、図−７、図−８に示すように、該Ｕ字状の部分、すなわち（２３Ｂ）、（２３Ｃ）、（２３Ｄ）の形態について詳細の説明をすると、ネック（２３）は、該ヘッド（２２）から垂直に立ち上げた軸線（２３Ａ）の頭部から、後方に且つ水平で、しかも該ヘッド（２２）の打球面に平行に折り曲げられた、該Ｕ字状の脚部に相当する下方の軸線（２３Ｂ）を形成し、次に該下方の軸線（２３Ｂ）の後端から、図−７に示すとおり、該Ｕ字状の底辺に相当する部分の上向きの軸を、ヘッド（２２）の打球面に直角な垂直面内で左右に屈曲をさせて、左方向に傾斜させた傾斜軸（２３Ｃ−１）と、次に右方向に傾斜をさせた傾斜軸（２３Ｃ−２）と、更に、左方向に傾斜をさせた傾斜軸（２３Ｃ−３）を形成し、次に、該Ｕ字状の底辺部に相当する部分の際上端から、前方に且つ水平でしかも該ヘッド（２２）の打球面に平行に折り曲げられた、該Ｕ字状の脚部に相当する上方の軸線（２３Ｄ）を形成し、該上方の軸線（２３Ｄ）の前端から後方上向きに折り曲げて、軸線（２３Ｅ）を形成し、シャフト（２４）に同軸芯で取り付く構造をしている。【００２１】  該Ｕ字状の底辺に相当する左右方向に折り曲げられた傾斜軸（２３Ｃ−１）、（２３Ｃ−２）、（２３Ｃ−３）の屈曲形態について説明をすると、図−７に示すとおり、傾斜軸（２３Ｃ−１）と傾斜軸（２３Ｃ−２）との交点の中心は、ヘッド（２２）の打球面の最下端の垂直面と合致しており、次に傾斜軸（２３Ｃ−２）と傾斜軸（２３Ｃ−３）との交点の右端は、ヘッド（２２）に取り付く垂直の立ち上げ軸（２３Ａ）の右端で、該ヘッド（２２）の打球面に平行な垂直面内にある。更に傾斜軸（２３Ｃ−３）の上端、すなわちＵ字状の脚部に相当する上側の水平軸（２３Ｄ）との交点の軸心は、該ヘッド（２２）の打球面の最下端の垂直面内に合致している。【００２２】  このようなパター（２１）にあっては、該ネック（２３）のＵ字状の底辺に相当する縦方向の軸線（２３Ｃ）を波型に屈曲させることによって、図−６、図−７に示すとおり、該縦方向の軸線（２３Ｃ）は、単純な一直線の軸線よりも、打球方向の垂直面内でネック（２３）の素材の軸の太さよりも広い、幅（Ｂ）を作り出すことが出来る。この該幅（Ｂ）が有ることによって、打者がシャフト（２４）を持って所定の方向にボールを打出そうとする時、テークバック時や、ヒッティング、フォロースルー時には、シャフト（２４）の取り付け部や、ヘッド（２２）とネック（２３）との取り付け部を中心にして働き易い慣性モーメントが感じ易くなり、あるいは、慣性モーメントを、パッティングのアドレスに入った時点で抑制することが出来るので、打者は、所定の方向に正確にボールを打出すことが出来る。【００２３】  また、このようなパター（２１）にあっては、該ネック（２３）のＵ字状の脚部に相当する、上部の水平軸線（２３Ｄ）の軸芯は、ヘッド（２２）の打球面最下端の垂直面内にあり、該上部の水平軸線（２３Ｄ）の最後端の直下に位置する左斜めの傾斜軸線（２３Ｃ−３）の下端と、更にその下位に位置する、右斜めの傾斜軸（２３Ｃ−２）との交点の中心は、ヘッド（２２）の打球面より後方の、打球面に平行な垂直面内にあって、ヘッド（２２）に取り付く、ネック（２３）の取り付け垂直軸線（２３Ａ）の中心線と合致している。このことによって、該Ｕ字状の上部の水平軸線（２３Ｄ）の軸心と、その下位に位置する傾斜軸線（２３Ｃ−３）と、更にその下位に位置する傾斜軸線（２３Ｃ−２）の交点の中心との間には打球方向面内においてズレがあり、距離がある。このことによって、打者が所定の方向にボールを打出そうとする時、ヘッド（２２）は、打球方向の前後の垂直面内で円弧を描いて運動をさせるために、先ずテークバックをするが、その時ネック（２３）の該Ｕ字状の底辺に相当する縦方向の軸線（２３Ｃ）のうち、最上部に位置する左斜めの傾斜軸線（２３Ｃ−３）に左斜めの勾配があるのと、該Ｕ字状の脚部に相当する上部の水平軸線（２３Ｄ）の軸心と、該Ｕ字状の底辺に相当する部分の最上部に位置する左斜めの傾斜軸線（２３Ｃ−３）の最下端の軸心との間には、打球方向面内で距離があるため、打球方向の反対側に円弧を描いてテークバックをする時、ヘッド（２２）に過度の慣性モーメントが働き難くなり、安定した運動が可能になる。その結果、ボールのヒッティングの打撃効率が増大し、更に、フォロースルーが容易に出来るため、打者は所定の方向にボールを打出すことが容易になる。【００２４】  また、該Ｕ字状の脚部に相当する上部の水平軸線（２３Ｄ）と、下部の水平軸線（２３Ｂ）とは、上下、左右共に双方が平行関係にあり、更にヘッド（２２）の打球面に平行な垂直面とも平行関係にある。このことから打者が所定の方向にボールを打ち出そうとする時、ヘッド（２２）の打球面を打球方向に合わせるアドレスに入るが、該Ｕ字状の上部の水平軸線（２３Ｄ）と、下部の水平軸線（２３Ｂ）と、更にヘッド（２２）の打球面とはそれぞれが平行関係にあることから、打者は打球方向にヘッド（２２）の打球面を直角に合わせると、該Ｕ字状の脚部に相当する上部の水平軸線（２３Ｄ）と、下部の水平軸線（２３Ｂ）は、共に打球方向に直角な位置関係に合うことになり、打者は打球方向にパター（２１）を合わせやすくなるほか、ヘッド（２１）の軸線と該Ｕ字状の底辺に相当する上部の水平軸線（２３Ｄ）と下部の水平軸線（２３Ｂ）とは、上下、左右共に、平行関係にあることから、打者がボールを所定の方向に打ち出す時、ヘッド（２２）に働く過度な慣性モーメントを抑制することが出来るので、安定したパター（２１）のストロークができる。【００２５】  以上、本発明の実施の形態を実施例により説明したが、本発明の範囲はこれに限定されるものではなく、請求項に記載された範囲内において、目的に応じて変更・変形することが可能である。
たとえば、ネックの断面は円形でもよく、四角形、三角形、楕円形でもよい。
またネックのＵ字状底辺に相当する部分の、波型の山、谷の数は実施例以外の数であってもよい。更にＵ字状の底辺に相当する軸線は打球方向の垂直面内で左右の波型を形成しているが、軸線に若干の傾斜や捩れがあってもよい。
更に、ネックのＵ字状の脚部に相当する、上部の水平軸線と、下部の水平軸線双方の軸線はそれぞれが平行関係にあり、しかも、ヘッドの打球面とも平行関係にあるが、各々の軸線が若干の角度を持っていてもよい。
【産業上の利用可能性】
【００２６】  本発明は、ゴルフのラウンドにおいて、プレーヤーが安定したパッティングが出来るパターとして、産業上利用することが出来る。
【図面の簡単な説明】
【００２７】
【図−１】実施例１のパターの斜視図
【図−２】実施例１のパターの平面図
【図−３】実施例１のパターの右側面図
【図−４】実施例１のパターの正面図
【図−５】実施例２のパターの斜視図
【図−６】実施例２のパターの平面図
【図−７】実施例２のパターの右側面図
【図−８】実施例２のパターの正面図
【図−９】従来のパターの斜視図
【図−１０】従来のパターの平面図
【図−１１】従来のパターの右側面図
【符号の説明】
【００２８】    １，１１，２１      ゴルフパター
２，１２，２２      パターヘッド
３，１３，２３      パターネック
４，１４，２４      パターシャフト
Ｖ                  垂直軸
Ｐ                  パターシャフトの軸心
Ｂ                  パターネックの波型の厚み（高さ）
Θ                  ネックのライ角
【図−１】
2006043373.tif 000003
【図−２】
2006043373.tif 000004
【図−３】
2006043373.tif 000005
【図−４】
2006043373.tif 000006
【図−５】
2006043373.tif 000007
【図−６】
2006043373.tif 000008
【図−７】
2006043373.tif 000009
【図−８】
2006043373.tif 000010
【図−９】
2006043373.tif 000011
【図−１０】
2006043373.tif 000012
【図−１１】
2006043373.tif 000013